(57)【要約】【課題】照明器具の電力量をリアルタイムに監視することができ、照明器具の電力量を計測する場合にも電気工事を不要とし、設置場所等の制約をなくし、よりユーザに使い易い照明器具状態監視システムを得ることを目的とする。【解決手段】複数の照明器具１の子機に相当する照明器具コントローラ３が親機であるリモコン１０から受信した赤外線信号の調光制御情報に基づいてランプ２に対して調光制御を行い、必要に応じて親機から受信した赤外線信号を送信するようにして複数の照明器具が調光制御されている場合に、照明器具状態監視装置２１の監視制御手段であるＣＰＵ２３は、その赤外線信号受信部が受信した親機又は子機からの赤外線信号の調光制御情報に基づいて照明器具の調光情報を演算し、該調光情報を操作部２６の表示操作に応じて表示部２４に表示させるようにしたものである。【選択図】        図１
2004259657.tif 000002
【特許請求の範囲】
【請求項１】
調光制御情報を赤外線信号で送信する親機と、親機から受信した赤外線信号の調光制御情報に基づいてランプに対して調光制御を行う機能及び必要に応じて該赤外線信号を送信する機能を有する子機に相当する照明器具コントローラを有する複数の照明器具と、親機が送信する赤外線信号及び各照明器具の照明器具コントローラの赤外線信号を受信して照明器具の調光制御状態を監視する照明器具状態監視装置とを有する照明器具状態監視システムであって、
前記照明器具状態監視装置は、
親機が送信する赤外線信号及び各照明器具の照明器具コントローラの赤外線信号を受信する赤外線信号受信部と、
赤外線信号受信部が受信した赤外線信号の調光制御情報に基づいて照明器具の調光情報を演算して求める監視制御手段と、
を有していることを特徴とする照明器具状態監視システム。
【請求項２】
前記照明器具状態監視装置は、
前記調光情報を表示する表示部、前記調光情報を外部に送る外部入出力部、前記調光情報を記録出力する記録出力部、前記調光情報を記憶する記憶部、前記赤外線信号を送信する赤外線信号送信部のいずれか１つ又はこれらを任意に組合せたものを有することを特徴とする請求項１記載の照明器具状態監視システム。
【請求項３】
前記記憶部は照明器具の調光率と消費電力の関係を示す消費電力テーブルを記憶格納していることを特徴とする請求項２記載の照明器具状態監視システム。
【請求項４】
前記照明器具状態監視装置は、前記外部入出力部、前記記録出力部、前記記憶部及び前記赤外線信号送信部を動作させるように操作を行う操作部、前記調光情報に測定時刻のタイムスタンプを付加するためのタイマ部のいずれか１つ又は全てを有することを特徴とする請求項２又は３のいずれかに記載の照明器具状態監視システム。
【請求項５】
前記照明器具の調光情報は照明器具の調光率、消費電力、消費電力量であることを特徴とする請求項１〜４のいずれかに記載の照明器具状態監視システム。
【発明の詳細な説明】
【０００１】
【発明の属する技術分野】
本発明は例えば複数の照明装置の消費電力量等の調光状態を監視、記録、制御及び他設備への情報伝達を可能とする照明器具状態監視システムに関するものである。
【０００２】
【従来の技術】
従来の電力量計は、テレビ、冷蔵庫、照明器具等の各種電気機器が接続された屋内の電灯線と屋外の送電線から延びる電力線との間に設けられた筐体に各種電気機器の電力使用量を計測する電力量計測器を内蔵するようにして構成されている（例えば、特許文献１参照）。
【０００３】
【特許文献１】
特開２００１−２８０９３号公報（第２頁、第１図）
【０００４】
【発明が解決しようとする課題】
従来の電力量計は、屋内の電灯線と屋外の送電線から延びる電力線との間に設けられた筐体に各種電気機器の電力使用量を計測する電力量計測器を内蔵するようにして構成されているから、電力量計の設置には、電気工事が必要となり、電力量計の設置場所も電灯線に対しての作業ができ、メンテナンスがし易い場所等の制約があるという問題点があった。
【０００５】
本発明は、このような問題点を解決するためになされたものであり、照明器具の電力量をリアルタイムに監視することができ、照明器具の電力量を計測する場合にも電気工事を不要とし、設置場所等の制約をなくし、よりユーザに使い易い照明器具状態監視システムを得ることを目的とする。
【０００６】
【課題を解決するための手段】
本発明に係る照明器具状態監視システムは、調光制御情報を赤外線信号で送信する親機と、親機から受信した赤外線信号の調光制御情報に基づいてランプに対して調光制御を行う機能及び必要に応じて該赤外線信号を送信する機能を有する子機に相当する照明器具コントローラを有する複数の照明器具と、親機が送信する赤外線信号及び各照明器具の照明器具コントローラの赤外線信号を受信して照明器具の調光制御状態を監視する照明器具状態監視装置とを有する照明器具状態監視システムであって、前記照明器具状態監視装置は、親機が送信する赤外線信号及び各照明器具の照明器具コントローラの赤外線信号を受信する赤外線信号受信部と、赤外線信号受信部が受信した赤外線信号の調光制御情報に基づいて照明器具の調光情報を演算して求める監視制御手段とを有しているものである。
【０００７】
【発明の実施の形態】
図１は本発明の実施の形態に係る照明器具状態監視システムの構成を示すブロック図、図２は同照明器具状態監視システムの照明器具の構成を示すブロック図、図３は同照明器具状態監視システムの動作を示すランプ点灯時間−記憶部カウンタ値の図、図４は同照明器具状態監視システムのリモコンの構成を示すブロック図、図５は同照明器具状態監視システムの照明器具状態監視装置の構成を示すブロック図、図６は同照明器具状態監視システムの動作を示す調光率−消費電力の関係図である。
図１及び図２において、照明装置は４つの照明器具１とリモコン１０とで構成されている。
各照明器具１は、ランプ２とランプ２を点灯制御する照明器具コントローラ３とで構成されている。その照明器具１には分電盤４から配線された電灯線５が接続されている。また、分電盤４には他電力消費設備６が接続されている。
【０００８】
照明器具コントローラ３は、ランプ２を点灯させる点灯回路部１１と、点灯回路部１１を制御し、照明器具１の総合動作状態の内の調光率を検出する動作検出部１２ａ及びランプ２の点灯時間を計時する計時手段１２ｂを有する器具制御部１２と、不揮発性メモリ等から構成され、動作検出部２１で検出された照明器具１の動作状態を記憶する記憶部１３と、赤外線信号を送信する器具赤外線送信部１４と、赤外線信号を受信する器具赤外線受信部１５とから構成されている。
【０００９】
また、各照明器具１にはそれぞれに照明器具を個別に特定する識別番号であるアドレスと、グループ分けされたグループ番号が設定されている。本実施の形態では、アドレスを１〜４，グループ番号をアドレス１とアドレス２の照明器具についてグループ番号１，アドレス３とアドレス４の照明器具についてグループ番号２を設定している。これらのアドレスとグループ番号は照明器具コントローラ３の記憶部に記憶格納されている。また、リモコン１０にもアドレス０を設定しておく。
【００１０】
図１及び図４に示すリモコン１０は、赤外線信号を送信する赤外線送信部１６と、赤外線信号を受信する赤外線受信部１７と、リモコン３の制御を行うリモコン制御部１８、リモコン制御部１８を介して、送信又は受信内容を表示する表示部１９とで構成されている。
また、図１ではリモコン１０から送信する赤外線信号を実線で、照明器具１から送信する赤外線信号を点線で表している。
【００１１】
図１及び図５において、照明器具状態監視装置２１は、照明器具１の調光率、ランプ２の点灯／消灯等の調光状態を監視、記録し、制御し、他設備への情報伝達を行うものである。
この照明装置状態監視装置２１は、リモコン１０又は照明器具コントローラ３から別の照明器具コントローラ３へ送信される赤外線信号を受信する赤外線信号受信部２２と、受信した赤外線信号から照明器具１の調光率、消費電力等を演算するＣＰＵ２３と、演算した照明器具１の調光率、消費電力等を表示する表示部２４と、演算した照明器具１の調光率、消費電力等を記憶する記憶部２５と、単独、複数及び時系列の調光情報の表示や記録の指示を行う操作部２６と、受信した赤外線信号を同一又は別の照明器具コントローラ３に伝達又は中継する赤外線信号送信部２７と、集中制御装置３１に有線で消費電力等の調光情報や記憶部２５の格納された調光情報を送ったり、集中制御装置３１からの情報を受け取る外部入出力部２８と、記憶部２５に記憶された調光情報を記録出力するための記録出力部２９と、時刻を計時して測定時刻等のタイムスタンプを付加するためのタイマ部３０とで構成されている。
【００１２】
また、照明装置状態監視装置２１の記憶部２５には、図５に示すように照明器具１の調光率と消費電力の関係を示す調光率−消費電力テーブルＴが記憶格納されている。
なお、赤外線信号受信部２２は赤外線受信素子を含む回路で構成され、ＣＰＵ２３はパソコンで構成され、表示部２４はＣＲＴ等であり、記憶部２５はＲＡＭ、ＨＤＤ等の記憶素子／媒体で形成され、操作部２６は例えばキーボード等であり、赤外線信号送信部２７は赤外線送信素子を含む回路で構成され、外部入出力部２８はＲＳ−２３２Ｃやイーサネット（登録商標）等で構成され、記録出力部２９は例えばプリンタやペンレコーダ等記録計等であり、タイマ部３０は時刻を計時する時計である。また、集中制御装置３１はビルの部屋、階又はビル全体の照明器具を集中管理し、制御するものである。
【００１３】
次に、本発明の実施の形態に係る照明装置状態監視システムの動作について説明する。
まず、その前にリモコン１０を用いて例えば４つの照明器具１に対して行う調光制御について説明する。
ここではリモコン１０により４つの照明器具１が所定の調光率で点灯制御され、それ以降に調光率を代える場合について説明する。
例えば、リモコン１０の赤外線送信部１６より、特定のアドレス４の照明器具１の照明器具コントローラ３に対して、調光制御情報である例えば光出力ＵＰの指令を赤外線信号で送信するときには、送信される赤外線信号に、さらにＵＰさせるべき照明器具のアドレス情報を付与する。このとき、リモコン１０から送信する赤外線信号はアドレス４の照明器具１の照明器具コントローラ３ではなく、アドレス１の照明器具１の照明器具コントローラ３に向けて送信したとする。
ここで、アドレス１の照明器具１の照明器具コントローラ３は受信した赤外線信号が自分自身（アドレス１）に対する指令ではないことを器具制御部１２で判断し、ランプの光出力を増加させる制御は行わず、その受信した赤外線信号と同じ内容の赤外線信号を器具赤外線送信部１４から送信する。
【００１４】
次に、アドレス１の照明器具１の照明器具コントローラ３から送信された赤外線信号は、直接もしくは床面の反射によってアドレス２の照明器具１の照明器具コントローラ３で受信される。アドレス２の照明器具１の照明器具コントローラ３は前述のアドレス１の照明器具１の照明器具コントローラ３と同様に、自分自身に対する指令でないことから、その受信した赤外線信号と同じ内容の赤外線信号を器具赤外線送信部１４から送信する。同様にアドレス２から送信された赤外線信号はアドレス３の照明器具１で受信されるが、ここも同様に自分自身に対する指令でないことから、その受信した赤外線信号と同じ内容の赤外線信号を器具赤外線送信部１４から送信する。
【００１５】
次に、アドレス３の照明器具１の照明器具コントローラ３が送信した赤外線信号をアドレス４の照明器具１の照明器具コントローラ３が受信した場合は、受信した赤外線信号は自分自身（アドレス４）に対する指定であることから、受信した赤外線信号を器具制御部１２で解読処理し、アドレス４の照明器具１の光出力を増加するよう点灯回路部１１を制御する。このとき、動作検出部１２ａで出力しているランプ２の光出力の度合いを示す調光率が検出され、アドレス４の照明器具１の照明器具コントローラ３の記憶部１３には、出力しているランプの光出力の度合いを示す調光率が記憶格納される。
【００１６】
次に、リモコン１０からアドレス４の照明器具１の動作情報、ここでは例えば、現在の点灯しているランプ２の調光率がいくつなのかを要求する赤外線信号がリモコン１０の赤外線信号送信部１６から送信された場合、リモコン１０から送信された赤外線信号がアドレス１の照明器具１の照明器具コントローラ３で受信された場合は、自分自身（アドレス１）に対する要求ではないことを器具制御部１２で判断し、器具赤外線受信部１５で受信した赤外線信号と同じ内容の赤外線信号を器具赤外線送信部１４が送信する。ここで、この赤外線信号をアドレス２の照明器具１の照明器具コントローラ３が受信したとすると、アドレス１の照明器具１が受信した場合と同様に受信した赤外線信号と同じ内容の赤外線信号を送信する。さらに、アドレス３の器具が受信した場合も同様である。
【００１７】
この赤外線信号をアドレス４の照明器具１の照明器具コントローラ３が受信した場合、自分自身（アドレス４）に対する要求であることから、アドレス４の照明器具１の照明器具コントローラ３は記憶部１３に記憶格納している調光率を器具制御部１２で読み出し、器具赤外線送信部１４よりリモコン１０へリモコン１０のアドレス０としたアドレス情報と調光率情報を付与した赤外線信号を送信する。
アドレス４の照明器具１の照明器具コントローラ３より送信された、調光率情報を付与した赤外線信号は、アドレス３の照明器具１の照明器具コントローラ３で受信された場合、自分自身（アドレス３）への指令信号ではなくリモコン１０に対する信号であると器具制御部１２で判断し、受信した赤外線信号と同じ内容の赤外線信号を送信する。以下同様にアドレス２の照明器具、アドレス１の照明器具が受信した場合でも自分自身に対する指令信号ではないことから、受信した赤外線信号と同様の赤外線信号を送信する。
【００１８】
そして、リモコン１０が赤外線受信部１７で、アドレス４の照明器具１の照明器具コントローラ３が送信した調光率情報を付与した赤外線信号を受信し、又は他のアドレスの照明器具を経由したアドレス４の照明器具１の照明器具コントローラ３が送信したアドレス情報と調光率情報を付与した赤外線信号を受信した場合には、アドレス情報が自分自身のアドレス０と一致するので、リモコン制御部１８によって赤外線信号の解読処理を行い、リモコン１０の表示部１９へアドレス４の照明器具１の調光率情報を表示する。
【００１９】
また、照明器具１のランプ２がリモコン１０の操作によって点灯させられた場合には、照明器具コントローラ３の記憶部１３内にはカウンタが設けられており、図３に示すように当初はランプ２の点灯時間がゼロ時間でカウンタ値は０にセットされているが、ランプ２が点灯されると、器具制御部１２の計時手段１２ｂがランプ２の点灯時間を計測し、点灯時間がある所定時間（図３では１０時間に設定）に達すると、器具制御部１２は記憶部１３内のカウンタ値を１として記憶部１３に記憶格納する。次にまた所定時間（ここでは１０時間）を計測すると、記憶部１３内に記憶格納されていたカウンタ値１をカウントアップしてカウンタ値２として記憶部１３に記憶格納する。このようにある所定時間を計時し、所定時間経過毎に記憶部１３のカウンタ値を増加していくように動作する。
【００２０】
ここで、リモコン１０から照明器具１の照明器具コントローラ３に対して照明器具１の動作情報としてランプ２の累積点灯時間を要求する赤外線信号がリモコン１０の赤外線信号送信部６から赤外線信号として送信された場合に、照明器具１の照明器具コントローラ３はリモコン１０からの赤外線信号を受信し、器具制御部１２で赤外線信号の解読処理を行い、記憶部１３に格納されているカウンタ値を読み出す。ここで図３のＡ点で示すように、カウンタ値が５であればランプ２の累積点灯時間は５０時間から６０時間の間であることが分かる。
そこで、器具制御部１２は累積点灯時間が略５０時間であるという情報を付与した赤外線信号を生成し、器具赤外線送信部１４を介して送信する。
次に、累積点灯時間が略５０時間であるという情報を付与した赤外線信号をリモコン１０の赤外線受信部１７で受信すると、リモコン制御部１８で赤外線信号の解読処理を行い、表示部１９に照明器具１の累積点灯時間は略５０時間である旨を表示する。
【００２１】
なお、ここでは点灯時間計時のためのある所定時間を１０時間としているが、この時間は特に決められたものではなく任意の時間で構わず、例えば１分毎にカウントアップするように計時すれば、より高精度に累積点灯時間を示すことができる。また、記憶部１３は不揮発性メモリ等で構成するため、照明器具１の電源を遮断しランプ２を消灯し、再度電源投入により点灯させるような場合においても、記憶部１３のカウンタ値は保持されるため、累積して点灯時間を計時することが可能である。
【００２２】
なお、上述の動作説明において、リモコン１０からアドレス４の照明器具１までの赤外線信号の通信順序をリモコン１０送信→アドレス１（送信、受信）→アドレス２（受信、送信）→アドレス３（受信、送信）→アドレス４（受信）と説明し、アドレス４からリモコン３まではその逆順で説明したが、これは赤外線通信の状態をわかりやすく説明するためで、赤外線の床面反射の条件や、照明器具設置状態で赤外線の通信に関与する器具は異なる。
また、設置されている照明器具の全数が中継の為の赤外線通信に関与するとは限らず、リモコン１０と対象照明器具のみの場合や、設置台数のうち数台が中継のために赤外線通信に関与する場合がある。
【００２３】
また、上述の動作説明では、特定のアドレスをリモコン３から指定する例を挙げたが、グループ等を指定してもよい。また、記憶部１３に記憶格納する動作情報は調光率だけでなく、ランプの点灯／消灯の情報や、照明器具自身又はランプの異常を示すような情報でも良く、この場合は容易にランプの状態や照明器具のメンテナンス情報を手元で確認することができる。
【００２４】
以上のようにリモコン１０により４つの照明器具１に対して調光制御を行っており、その調光制御の状態を照明器具状態監視装置２１が監視している。
以下、照明器具状態監視装置２１の動作について説明する。
照明器具状態監視装置２１の赤外線信号受信部２２では、リモコン１０から照明器具１の照明コントローラ３へ、又は照明コントローラ３から別の照明コントローラ３へ、或いは照明器具１の照明コントローラ３からリモコン１０へ送信される赤外線信号を受信している。
照明器具状態監視装置２１のＣＰＵ２３では赤外線信号受信部２２が受信した赤外線信号に基づいて各照明器具１のランプの点滅状態、調光状態である調光率等の調光情報から消費電力を演算する。
即ち、照明装置状態監視装置２１の記憶部２５には、図５に示すように各照明器具１の調光率と消費電力の関係を示す調光率−消費電力テーブルＴが記憶格納されており、また各照明器具１の照明コントローラ３の器具制御部１２は累積点灯時間の情報を付与した赤外線信号を生成し、器具赤外線送信部１４を介してリモコン１０へ送信している。
【００２５】
従って、ＣＰＵ２３では、例えば照明器具１について見ると、記憶部２５に格納記憶されている照明器具１の調光率と消費電力の関係を示す調光率−消費電力テーブルＴから調光率が９８％と分かると、その調光率における消費電力は９７Ｗであり、また照明器具１の照明器具コントローラ３の器具赤外線送信部１４からリモコン１０へ送信している累積点灯時間の情報とで消費電力量を演算することができることとなる。なお、照明器具１の点灯時間はリモコン１０からの点灯／消灯の調光制御情報に基づいても演算することができる。
【００２６】
また、ＣＰＵ２３が演算した照明器具１の消費電力量は、操作部２６で表示操作することによって表示部２４に表示される。従って、表示部２４に表示された照明器具の消費電力量を見ることにより、リアルタイムに消費電力量の監視をすることができる。
このような照明装置状態監視装置２１はリモコン１０又は照明器具１の照明器具コントローラ３と赤外線通信を行うので、照明器具の消費電力を監視するために照明装置状態監視装置２１を設置する場合には電気工事を不要とし、設置場所の制約もないことによりユーザに使い易いものとなっている。
さらに、表示部２４に表示された照明器具１の消費電力量は、操作部２６で記録出力操作すると、記録部出力部２９により記録出力される。即ち、記録出力部２９がプリンタであれば、照明器具１の消費電力量をプリントアウトすることができる。このとき、タイマ部３０は時刻を計時しているので、測定時刻のタイムスタンプを付加してプリントアウトすることもできる。
【００２７】
以上は、ＣＰＵ２３が照明器具１についての消費電力量を算出する例であるが、各照明器具にはアドレス番号がついているために、それぞれの照明器具を特定してそれについての消費電力量を演算することができる。
従って、操作部２６で単独、複数又は全ての照明器具について表示するように表示操作することにより、単独、複数又は全ての照明器具についての消費電力量を表示部２４に表示させることができ、必要に応じてこれらの時系列での消費電力量も表示させることができる。さらに、表示部２４に表示されたこれらの消費電力量は、操作部２６で記録出力操作すると、記録出力部２９により記録出力される。
【００２８】
また、表示部２４には照明器具１の消費電力量だけでなく、照明器具１の点滅状態や調光状態である調光率も表示させることができることは勿論であり、記録出力部２９に照明器具の点滅状態や調光状態も記録出力させることができる。
従って、照明器具の消費電力、点滅状態、調光状態である調光率を手元で確認できるため、照明器具の電力管理を容易に行うことができる。
また、記憶部２５に記憶させた時系列の照明器具の調光状態や消費電力の情報を記録出力部２９に記録出力させ、記録出力された情報に基づいて省エネ効果を検討したり、国際標準化機構の国際標準規格であるＩＳＯ１４００１等の情報収集に用いることができる。
【００２９】
さらに、記録出力部２９に記録出力させた照明器具の調光状態や消費電力の情報から、逆に電力カット、例えば調光率を１割下げる等の制御を行うために、操作部２６を操作して赤外線信号送信部２７から照明器具１の照明器具コントローラ３に例えば調光率を１割下げるという修正した調光制御情報を送信することもできる。
また、照明装置状態監視装置２１の外部入出力部２８は、照明器具１の照明器具コントローラ３より受けた情報や、記憶部２５に格納されている照明器具の調光状態や消費電力の情報を、直接は赤外線信号が届かない場所である外部の集中制御装置３１に有線で送ったりすることもできる。
【００３０】
このような複数の照明器具が部屋単位、又は階単位でリモコンでそれぞれ調光制御されている場合には、部屋単位、又は階単位の照明器具の調光状態や消費電力の情報を集中制御装置３１が得ることにより、集中制御装置３１は集中的に調光状態や消費電力を管理することができる。
さらに、外部入出力部２８は外部の人感センサ等の信号を集中制御装置３１を経由して受け取った場合に、その信号に基づいて照明器具１の照明器具コントローラ３に照明器具の点滅の信号を赤外線信号送信部２７から送信することにより、人の有無に応じて照明器具１を点灯／消灯させるというよりきめの細かい調光制御も可能となる。なお、これらの動作は操作部２６で操作してＣＰＵ２３に指示することにより行う。
また、外部入出力部２８は、照明器具コントローラ３から受信した情報を赤外線信号送信部２７より同一、又は他の照明器具コントローラ３に中継、伝達することもできる。
【００３１】
また、この実施の形態では、リモコン１０を親機とし、複数の照明器具１の照明器具コントローラ３を子機及び中継器とし、リモコン１０から照明器具１に対する調光制御情報を出すと、その調光制御情報が複数の照明器具１の照明器具コントローラ３で受信されるようにしているが、リモコン１０に代わる固定式の親機としてもよく、さらに複数の照明器具１の照明器具コントローラ３のうちの１つに照度センサ等を設けてそれを親機としてもよいことは勿論である。
また、照明装置状態監視装置２１の操作部２６にリモコン１０と同様の機能を持たせるようにすることもできる。
【００３２】
【発明の効果】
以上のように本発明によれば、複数の照明器具の子機に相当する照明器具コントローラが親機から受信した赤外線信号の調光制御情報に基づいてランプに対して調光制御を行い、必要に応じて親機から受信した赤外線信号を送信するようにして複数の照明器具が調光制御されている場合に、照明器具状態監視装置の監視制御手段は、その赤外線信号受信部が受信した親機又は子機からの赤外線信号の調光制御情報に基づいて照明器具の調光情報を演算して求めるようにしたので、その照明器具の調光情報を監視することが可能となるという効果がある。
また、照明装置状態監視装置は親機又は照明器具の子機と赤外線通信を行うので、照明器具の消費電力を監視するために照明装置状態監視装置を設置する場合には電気工事を不要とし、設置場所の制約もないことによりユーザに使い易いものとなるという効果がある。
【図面の簡単な説明】
【図１】本発明の実施の形態に係る照明器具状態監視システムの構成を示すブロック図。
【図２】同照明器具状態監視システムの照明器具の構成を示すブロック図。
【図３】同照明器具状態監視システムの動作を示すランプ点灯時間−記憶部カウンタ値の図。
【図４】同照明器具状態監視システムのリモコンの構成を示すブロック図。
【図５】同照明器具状態監視システムの照明器具状態監視装置の構成を示すブロック図。
【図６】同照明装置状態監視システムの動作を示す調光率−消費電力の関係図である。
【符号の説明】
１  照明器具、２  ランプ、３  照明器具コントローラ、１０  リモコン（親機）、２１  照明器具状態監視装置、２２赤外線信号送信部、２３  ＣＰＵ（監視制御手段）、２４  表示部、２５  記憶部、２６  操作部、２７  赤外線信号送信部、２８  外部入出力部、２９  記録部、３０  タイマ部。
【図１】
2004259657.tif 000003
【図２】
2004259657.tif 000004
【図３】
2004259657.tif 000005
【図４】
2004259657.tif 000006
【図５】
2004259657.tif 000007
【図６】
2004259657.tif 000008